(57)【要約】【課題】ロールペーパの回動によってロールペーパの端末がカバーの内側に隠れることがなく、使い勝手の良いトイレット用ロールペーパ支持器を提供する。【解決手段】ロールペーパ９を回動可能に支持する支持軸８を備えたホルダフレーム１に挿通孔１４を設け、挿通孔にスライダポール２を挿通し、スライダポールを一体に備えるとともに所定量だけ昇降可能なスライダ３を弾性体４により上方に付勢し、スライダに枢着されるカバー７の先端にロールペーパの外周面に接触するペーパ分離板１２を設け、ペーパ分離板とカバーの内面にロールペーパの先端部分を挿通する通し窓１５を形成し、通し窓の内側のカバーの先端にペーパカッタ１１を設け、スライダポールの下端部に一端１７ａが回動可能に固定され、スライダ３の上昇に連動し、ロールペーパに当接してロールペーパの繰り出し方向への回動を起こさせる回動促進板１７を設けたトイレット用ロールペーパ支持器。【選択図】  図２
2004344461.tif 000002
【特許請求の範囲】
【請求項１】
トイレット用ロールペーパを回動可能に支持する支持軸を備えたホルダフレームに上下方向の挿通孔を設け、該挿通孔にスライダポールを挿通し、該スライダポールを一体に備えるとともに所定量だけ昇降可能なスライダを弾性体により上方に付勢し、該スライダに枢着されるカバーの先端にロールペーパの外周面に接触するペーパ分離板を設け、該ペーパ分離板と前記カバーの内面にロールペーパの先端部分を挿通する通し窓を形成し、該通し窓の内側の前記カバーの先端にペーパカッタを設け、前記スライダポールの下端部に一端が回動可能に固定され、前記スライダが上昇する際に前記トイレット用ロールペーパに当接して該トイレット用ロールペーパの繰り出し方向への回動を起こさせる回動促進板を設けたことを特徴とするトイレット用ロールペーパ支持器。
【請求項２】
前記回動促進板は、前記トイレット用ロールペーパに当接し、該トイレット用ロールペーパの繰り出し方向への回動時にのみ摩擦抵抗が大きくなるように機能する複数の突出刃を有することを特徴とする請求項１記載のトイレット用ロールペーパ支持器。
【発明の詳細な説明】
【０００１】
【発明の属する技術分野】
本発明は、トイレット内の壁面に取り付けられるトイレット用ロールペーパ支持器の改良に関する。
【０００２】
【従来の技術】
従来一般に使用されているトイレット用ロールペーパ支持器は、トイレット内の壁面に取り付けられるホルダフレームに、湾曲した薄板状のカバーの一端を枢着し、カバーの他端は自重によりロールペーパの外周面に接触するように構成されている。
【０００３】
トイレット使用者がロールペーパを使用するには、まず、ロールペーパの先端を掴んでロールペーパの外周面から剥ぎ取り、ロールペーパの先端を手前に引き、所要量のペーパを引き出した後、カバーを押さえてロールペーパにブレーキをかけて引き上げ、カバーの他端を利用して切断する。
【０００４】
一度切断されたロールペーパの新たな先端は、ロールペーパの外周面に巻かれたままカバーの裏面に押さえられた位置にあるので、次に使用するときには、指先でカバーをはね上げて、ロールペーパの先端をロールペーパの外周面からほぐして掴み取るか、ロールペーパを指で手繰り回転させて、引っ張り易い位置まで持ってくる必要がある。このように、従来のトイレット用ロールペーパ支持器では、ペーパを使用する手間が煩わしく、さらに加えて、特に、指先に湿り気がなくなった高齢者や、アトピー性皮膚炎により指先が乾燥している人には、ロールペーパの先端を摘み出すのに難儀するという問題があった。
【０００５】
また、ロールペーパの外周の一枚が静電気の影響等でロールペーパに吸着しているときや、ロールペーパの製造時の影響でロールペーパが圧着気味の場合には、指先が乾燥していなくてもペーパ先端を剥ぎ取り難い。衛生面からみても、ペーパ先端を掴むときには、指先がロールペーパの外周面やカバーに触れるので非衛生であり、次にロールペーパを使用する人に不快感を与えるという問題があった。
【０００６】
このような欠点を解消するためには、ロールペーパを使用したときに、残りのペーパの先端が常にロールペーパの外周面から剥ぎ離された位置に保持されるようにしておけば良い。そのようにすれば、次にペーパを使用する人は指先が乾燥していても、ペーパの先端を容易に掴んで所要量のロールペーパを引き出すことができ、しかも、指先がロールペーパの外周面に触れないので衛生的である。
【０００７】
かかる目的から、本出願人は、特許文献１において、ペーパを使用したときに、ロールペーパの新たなペーパ先端部がロールペーパの外周面から自動的に剥離されるとともに、安全で、ロールペーパの詰め替え作業が容易で、水平方向の空間が限られた一般の狭隘なトイレット室内にも設置することができ、構造が簡単で耐久性に優れ、ロールペーパを引き出す時もロールペーパの回転が軽く、ロールペーパの外周面に傷等を生じさせることのないトイレット用ロールペーパ支持器を提案した。
【０００８】
図４乃至図６に示すように、このトイレット用ロールペーパ支持器は、トイレットの壁面への取り付け壁１ａの両端に側壁１ｂが屈曲して延設され、両側壁１ｂに支持軸８が設けられ、取り付け壁１ａの２ヵ所には上下方向に貫通する挿通孔１４（図５参照）が穿設される。
【０００９】
２つの挿通孔１４には、一対のスライダポール２が昇降可能に挿入され、コイルばね４がスライダ３とホルダフレーム１の間に巻回され、スライダポール２の端部に設けられた周溝にストップリング５（図５参照）が嵌め込まれ、所定量だけ昇降可能なスライダ３は、コイルばね４によって上方に付勢されている。
【００１０】
スライダ３の上部は、ロールペーパ９の上方に向かって屈曲し、その先端部に設けられたヒンジ６にカバー７の一端が枢着され、カバー７は自重により下方に傾動する。カバー７の先端には、ペーパ分離板保持部１０を介してペーパ分離板１２が一体的に延設される。カバー７の先端とペーパ分離板１２との間には、ロールペーパ９の先端部１３（以下、「ペーパ先端部」という）を挿通させるための通し窓１５が形成される。通し窓１５の横幅は、ペーパ先端部１３の幅寸法よりも大きいので、ペーパ先端部１３を通し窓１５に容易に挿通させることができる。
【００１１】
ペーパ分離板１２は、カバー７の先端部において、通し窓１５の内側に向けられた、鋭利な刃物ではないが、ペーパ先端部１３を容易に剥がせ得るように角度を持たせた切下状に形成される。通し窓１５の内側の前記カバーの先端には、ペーパカッタ１１が設けられる。このペーパカッタ１１の先端を山形形状に形成し、ペーパ先端部１３を引っ張りながらペーパカッタ１１に押しつけると、ペーパ先端部１３が容易に切断される。
【００１２】
そして、上記トイレット用ロールペーパ支持器の使用にあたって、カバー７を押さえていない通常状態では、スライダ３は上昇位置にあり、スライダ３に枢着されているペーパ分離板１２は、ロールペーパ９の外周面に軽く接触しているが、最初にペーパ先端部１３を通し窓１５に通して外側に露出させておけば、ロールペーパ９の使用が可能になる。
【００１３】
露出しているペーパ先端部１３を掴み、所要量のペーパを引き出し、カバー７を軽く押さえると、カバー７がスライダ３とともに下降し、ペーパ分離板１２がロールペーパ９の外周面に沿って下降する。この状態で、ロールペーパ９は回動不能になる。さらに、やや持ち上げ気味にペーパを引っ張ると、ペーパ先端部１３は、ペーパカッタ１１に接触する位置で切断される。
【００１４】
このとき、新たなペーパ先端部１３は、通し窓１５の出口側にあり、このままではペーパ先端部１３を掴むことはできないが、カバー７から手を離すと、通し窓１５が引き上げられ、結果として、ペーパ先端部１３が通し窓１５より露出した形となり、次にペーパを使用するときは、ロールペーパーの端末が掴みやすくなる。
【００１５】
このトイレットペーパ支持器によれば、ペーパ先端部１３を切断するときにのみカバー７を押さえればよく、通常、カバー７は上昇位置にあるので、ペーパ分離板１２はロールペーパ９の外周面に軽く接触しており、ペーパ先端部１３を引っ張るときに殆ど摩擦抵抗はない。
【００１６】
【特許文献１】
特開２００２−２３８８０１号公報
【００１７】
【発明が解決しようとする課題】
しかし、上記従来のトイレット用ロールペーパ支持器においては、カバー７、ペーパ分離板保持部１０及びペーパ分離板１２の重力の一部がペーパ分離板１２の前縁を介してロールペーパ９の外周の一点（一線）に加わるため、ロールペーパ９は、ペーパ分離板１２の上昇につれて左上方へ擦り上げられ、図５において反時計回りに回転するときがある。そのような場合には、ロールペーパ９の端末は、カバー７の内側に隠れてしまうため、ペーパ先端部１３を摘み出し難くなり、所期の目的を達成することができない。ここで、ペーパ分離板１２にフッ素樹脂加工をすることによってロールペーパ９の外周とペーパ分離板１２の摩擦抵抗を減らして、上記問題点を解決することも考えられるが、ロールペーパ９が使用されて小さくなって軽くなると、上記問題点を完全に解決することができないおそれもある。
【００１８】
そこで、本発明は、上記従来のトイレット用ロールペーパ支持器における問題点に鑑みてなされたものであって、ロールペーパの反対方向への回動によってロールペーパの端末がカバーの内側に隠れてしまうことがなく、より使い勝手の良いトイレット用ロールペーパ支持器を提供することを目的とする。
【００１９】
【課題を解決するための手段】
本発明は、上記目的を達成するためのトイレット用ロールペーパ支持器であって、トイレット用ロールペーパを回動可能に支持する支持軸を備えたホルダフレームに上下方向の挿通孔を設け、該挿通孔にスライダポールを挿通し、該スライダポールを一体に備えるとともに所定量だけ昇降可能なスライダを弾性体により上方に付勢し、該スライダに枢着されるカバーの先端にロールペーパの外周面に接触するペーパ分離板を設け、該ペーパ分離板と前記カバーの内面にロールペーパの先端部分を挿通する通し窓を形成し、該通し窓の内側の前記カバーの先端にペーパカッタを設け、前記スライダポールの下端部に一端が回動可能に固定され、前記スライダが上昇する際に前記トイレット用ロールペーパに当接して該トイレット用ロールペーパの繰り出し方向への回動を起こさせる回動促進板を設けたことを特徴とする。
【００２０】
そして、本発明によれば、ペーパ分離板が上昇してロールペーパが繰り出し方向と反対の方向へ擦り上げられるような場合でも、回動促進板がロールペーパに当接し、ロールペーパの回動を規制するとともに、ペーパ分離板が上昇すると同時に回動促進板もロールペーパの外周に接しながら上昇してロールペーパに繰り出し方向の回転を与えるため、ロールペーパの端末がカバーの内側に隠れることがなく、より使い勝手の良いトイレット用ロールペーパ支持器を提供することができる。
【００２１】
前記トイレット用ロールペーパ支持器の好ましい一形態として、前記回動促進板を、前記トイレット用ロールペーパに当接し、該トイレット用ロールペーパの繰り出し方向への回動時にのみ摩擦抵抗が大きくなるように機能する複数の突出刃を有するように形成することによって、トイレット用ロールペーパを確実に繰り出し方向へ回動可能とすることができるとともに、ロールペーパが繰り出し方向とは逆の方向に回動することを常に抑止でき、かつ、ロールペーパーを引き出すとき、及び前記スライダを下降させるときも、何れも突出刃が摩擦抵抗を大きくするように機能する方向ではないため、回動促進板とその突出刃による抵抗を感じさせることはない。
【００２２】
【発明の実施の形態】
次に、本発明の実施の形態について図１乃至図３を参照しながら説明する。尚、以下の説明において、上記図４乃至図６に示した従来のトイレット用ロールペーパ支持器と同一の構成要素については、同一の参照番号を付して詳細説明を省略する。
【００２３】
ホルダフレーム１は、トイレットの壁面に取り付けられる取り付け壁１ａと、その両端の側壁１ｂとで構成され、両側壁１ｂに支持軸８が設けられる。取り付け壁１ａの２ヵ所には、上下方向に挿通孔１４が穿設される。
【００２４】
２つの挿通孔１４には、一対のスライダポール２が昇降可能に挿入され、弾性体としてのコイルばね４が各々のスライダポール２に巻回され、スライダ３とホルダフレーム１の間に介装される。
【００２５】
スライダポール２の下端部に設けられた周溝にストップリング５が填め込まれ、所定量だけ昇降可能なスライダ３は、コイルばね４によって上方に付勢されている。
【００２６】
図３に示すように、スライダポール２の最下端部には、ボルト１８がねじ込まれるねじ孔２ａが設けられている。軸受け１６には、ボルト１８が通る挿通孔１６ａと、回動促進板１７に形成された軸部１７ａが挿入される挿入孔１６ｂが設けられている。軸受け１６の挿入孔１６ｂに回動促進板１７の軸部１７ａを挿入し、さらに、軸受け１６の挿通孔１６ａを介してボルト１８によって回動促進板１７がスライダポール２の下端に回動可能な状態で固定される。
【００２７】
回動促進板１７には、ロールペーパ９の外周に接する面に多数のヤスリ状の突出刃１７ｂが設けられている。この突出刃１７ｂは、図２に示すように、ロールペーパ９を擦り上げるように上向きに形成されている。また、回動促進板１７の重心が軸部１７ａよりロールペーパ９側に設定されているため、回動促進板１７は右傾し、常にロールペーパ９に当接する。これによって、ロールペーパ９の逆方向への回動を抑制することができるとともに、スライダ３が上昇するときにロールペーパ９に当接しながら回動促進板１７も連動してロールペーパ９に時計方向への回動を与え、通し窓１５よりペーパ先端部１３を露出させることができる。この回動促進板１７を設けたのが本発明の特徴である。
【００２８】
スライダ３の上部は、ロールペーパ９の上方に向かって屈曲し、その先端部のヒンジ６にカバー７の一端が枢着され、カバー７は自重により下方に傾動する。
【００２９】
カバー７の先端には、ペーパ分離板保持部１０を介してペーパ分離板１２が一体的に延設される。カバー７の先端とペーパ分離板１２との間には、ペーパ先端部１３を挿通させるための通し窓１５が形成される。
【００３０】
ペーパ分離板１２は、カバー７の先端部において、通し窓１５の内側に向けられ、ペーパ先端部１３を容易に剥がせ得るように角度を持たせた切下状に形成される。通し窓１５の内側の前記カバー７の先端には、ペーパカッタ１１が設けられる。
【００３１】
次に、以上のように構成されたトイレット用ロールペーパ支持器の動作について説明する。
【００３２】
図４乃至図６に示した従来のトイレット用ロールペーパ支持器と同様に、カバー７を押さえていない通常状態では、スライダ３は上昇位置にあり、スライダ３に枢着されているペーパ分離板１２は、ロールペーパ９の外周面に軽く接触している。そこで、最初にペーパ先端部１３を通し窓１５に通して外側に露出させておけば、ロールペーパ９の使用が可能になる。
【００３３】
露出しているペーパ先端部１３を掴み、所要量のペーパを引き出し、カバー７を軽く押さえると、スライダ３がカバー７とともに下降するとともに、ペーパ分離板１２がロールペーパ９の外周面に沿って下降する。この状態で、ロールペーパ９は回動不能になる。さらに、やや持ち上げ気味にペーパを引っ張ると、ペーパ先端部１３は、ペーパカッタ１１に接触する位置で切断される。
【００３４】
このとき、新たなペーパ先端部１３は、通し窓１５の出口側にあり、このままではペーパ先端部１３を掴むことはできないが、カバー７から手を離すと、スライダ３が上昇限度一杯まで上昇するにつれて、通し窓１５の出口側が引き上げられ、結果的に、ペーパ先端部１３が通し窓１５より押し出された形となり、次のペーパの使用が容易になる。
【００３５】
また、カバー７、ペーパ分離板保持部１０及びペーパ分離板１２の重力の一部がペーパ分離板１２の前縁を介してロールペーパ９の外周の一点（一線）に加わることにより、ペーパ分離板１２の上昇につれてロールペーパ９が図２の左上方へ擦り上げられ、反時計回りに回転しようとする。しかし、回動促進板１７の突出刃１７ｂがロールペーパ９に当接し、このロールペーパ９の回動を規制する。
【００３６】
これに加え、ペーパ分離板１２が上昇すると同時に、回動促進板１７もロールペーパ９の外周に接しながら上昇してロールペーパ９に右方向の回転を与えるため、ロールペーパ９の端末は、充分かつ確実に露出し、ロールペーパ９の端末がカバー７の内側に隠れることがない。これによって、ペーパ先端部１３が通し窓１５より押し出された形を維持することができ、次のペーパの使用が容易になる。さらに、突出刃１７ｂのヤスリ目が上向きであるため、ロールペーパ９を引き出すときにも、抵抗なく軽く引き出すことができる。
【００３７】
【発明の効果】
以上説明したように、本発明によれば、ロールペーパの回動によってロールペーパの端末が通し窓より適切な摘み代を露出させることができるとともに、ロールペーパがカバーの内側に隠れてしまうことがなく、より使い勝手の良いトイレット用ロールペーパ支持器を提供することができる。
【図面の簡単な説明】
【図１】本発明にかかるトイレット用ロールペーパ支持器を示す一部破断斜視図である。
【図２】図１のトイレット用ロールペーパ支持器の側面図である。
【図３】図１のトイレット用ロールペーパ支持器の回動促進板のスライダポールへの取付要領を説明するための分解斜視図である。
【図４】従来のトイレット用ロールペーパ支持器を示す一部破断斜視図である。破断部は、図６のＡ−Ａ線、Ｂ−Ｂ線によって各々切断された断面を示す。
【図５】図４のトイレット用ロールペーパ支持器の側面図である。
【図６】図４のトイレット用ロールペーパ支持器の正面図である。
【符号の説明】
１            ホルダフレーム
１ａ    取り付け壁
１ｂ    側壁
２      スライダポール
２ａ        ねじ孔
３      スライダ
４      コイルばね
５      ストップリング
６      ヒンジ
７      カバー
８      支持軸
９      ロールペーパ
１０        ペーパ分離板保持部
１１    ペーパカッタ
１２    ペーパ分離板
１３    ペーパ先端部
１４    挿通孔
１５        通し窓
１６        軸受け
１６ａ    挿通孔
１６ｂ    挿入孔
１７        回動促進板
１７ａ    軸部
１７ｂ    突出刃
１８        ボルト
【図１】
2004344461.tif 000003
【図２】
2004344461.tif 000004
【図３】
2004344461.tif 000005
【図４】
2004344461.tif 000006
【図５】
2004344461.tif 000007
【図６】
2004344461.tif 000008